(57)【要約】【課題】  加盟店端末機の設置処理に要する期間を短縮しかつ設定操作を容易とする加盟店端末機設置処理システムを提供する。【解決手段】  設置用識別番号と端末情報データベースを対応付けた端末情報データベースを設けると共に、カード会社判定情報とカード会社のＤＬＬデータを対応付けたＤＬＬデータベースをサーバに設ける。端末設置カードから読み取った設置用識別番号を加盟店端末機からサーバへ送信することにより、サーバが端末情報データベースから端末情報データを抽出しかつＤＬＬデータベースからＤＬＬデータを抽出し加盟店端末機へ送信する。【選択図】  図１
2005267270.tif 000002
【特許請求の範囲】
【請求項１】
カードリーダを具備する加盟店端末機(10)と、
通信ネットワークにより該加盟店端末機と接続されかつ該加盟店端末機の設置処理の際に該加盟店端末機へ導入すべき端末情報データ(123)を登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおいて、
(ａ)前記端末管理サーバが、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段とを具備し、
(ｂ)前記加盟店端末機が、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記端末管理サーバから送信された端末情報データを受信し、該端末情報データを記憶する手段と、
(b4)前記端末情報データの受信に応じて、該端末情報データに含まれる端末機識別番号と共にＤＬＬ要求データを前記カードセンターサーバへ送信する手段と、
(b5)前記カードセンターサーバから送信されたＤＬＬデータを受信し、該ＤＬＬデータを記憶する手段とを具備し、
(ｃ)前記カードセンターサーバが、
(c1)端末機識別番号と各カード会社のＤＬＬデータとを対応付けて前記ＤＬＬデータベースへ登録する手段と、
(c2)前記加盟店端末機から送信された前記ＤＬＬ要求データを前記端末機識別番号と共に受信する手段と、
(c3)前記ＤＬＬ要求データの受信に応じて、前記ＤＬＬデータベースを参照することにより前記端末機識別番号に該当するＤＬＬデータを抽出する手段と、
(c4)抽出した前記ＤＬＬデータを前記加盟店端末機へ送信する手段とを具備することを特徴とする
加盟店端末機設置処理システム。
【請求項２】
前記カードセンターサーバ(40)における前記ＤＬＬデータベースへ登録する手段がさらに、各カード会社のＤＬＬデータとして、設置会社用ＤＬＬデータと利用会社用ＤＬＬデータの２種を登録しており、
前記カードセンターサーバおける前記ＤＬＬデータを抽出する手段がさらに、前記端末機識別番号に基づいて設置カード会社を判別し、該設置カード会社に該当するカード会社のＤＬＬデータとしては設置会社用ＤＬＬデータを、該当しないカード会社のＤＬＬデータとしては利用会社用ＤＬＬデータを抽出することを特徴とする
請求項１に記載の加盟店端末機設置処理システム。
【請求項３】
カードリーダを具備する加盟店端末機(10)と、
通信ネットワークにより該加盟店端末機と接続されかつ該加盟店端末機の設置処理の際に該加盟店端末機へ導入すべき端末情報データ(123)を登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該端末管理サーバ(30)において、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段を具備することを特徴とする
加盟店端末機設置処理システムにおける端末管理サーバ。
【請求項４】
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けて登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を端末機識別番号に対応付けて登録したＤＬＬデータベース(422)を具備するカードセンターサーバ(40)とを有して該加盟店端末機の設置処理を行うシステムにおける、該加盟店端末機(10)において、
(b1)前記端末管理サーバへ初回接続を行うための初回接続データを記憶した初期接続データ記憶手段と、
(b2)端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記端末管理サーバが前記端末情報データベースから抽出して送信した、前記設置用識別番号に該当する端末情報データを受信しかつ該受信した端末情報データを記憶する手段と、
(b4)前記端末情報データの受信に応じて、該端末情報データに含まれる端末機識別番号と共にＤＬＬ要求データを前記カードセンターサーバへ送信する手段と、
(b5)前記カードセンターサーバが前記ＤＬＬデータベースから抽出して送信した、前記端末機識別番号に該当するＤＬＬデータを受信しかつ該ＤＬＬデータを記憶する手段とを具備することを特徴とする
加盟店端末機設置処理システムにおける加盟店端末機。
【請求項５】
カードリーダを具備する加盟店端末機(10)と、
通信ネットワークにより該加盟店端末機と接続され、該加盟店端末機の設置処理の際に該加盟店端末機へ導入すべき端末情報データ(123)を設置用識別番号を対応付けて登録した端末情報データベース(322)を具備し、かつ該加盟店端末機が端末設置カードに書き込まれた設置用識別番号を前記カードリーダにより読み取り送信した該設置用識別番号を受信して、該当する端末情報データを該端末情報データベースから抽出し該加盟店端末機へ送信する手段を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該カードセンターサーバ(40)において、
(c1)端末機識別番号と各カード会社のＤＬＬデータとを対応付けて前記ＤＬＬデータベースへ登録する手段と、
(c2)前記加盟店端末機が前記端末管理サーバから受信した前記端末情報データに含まれる端末機識別番号と共に送信したＤＬＬ要求データを該加盟店端末機から受信する手段と、
(c3)前記ＤＬＬ要求データの受信に応じて、前記ＤＬＬデータベースを参照することにより前記端末機識別番号に該当するＤＬＬデータを抽出する手段と、
(c4)抽出した前記ＤＬＬデータを前記加盟店端末機へ送信する手段とを具備することを特徴とする
加盟店端末機設置処理システムにおけるカードセンターサーバ。
【請求項６】
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおいて、
(ａ)前記カードセンター統合サーバが、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段と、
(a6)端末機識別番号と各カード会社のＤＬＬデータとを対応付けて前記ＤＬＬデータベースへ登録する手段と、
(a7)前記加盟店端末機が前記端末情報データの受信に応じて該端末情報データに含まれる端末機識別番号と共に送信したＤＬＬ要求データを該加盟店端末機から受信する手段と、
(a8)前記ＤＬＬ要求データの受信に応じて、前記ＤＬＬデータベースを参照することにより前記端末機識別番号に該当するＤＬＬデータを抽出する手段と、
(a9)抽出した前記ＤＬＬデータを前記加盟店端末機へ送信する手段とを具備し、
(ｂ)前記加盟店端末機が、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記カードセンター統合サーバから送信された端末情報データを受信し、該端末情報データを記憶する手段と、
(b4)前記端末情報データの受信に応じて、該端末情報データに含まれる端末機識別番号と共にＤＬＬ要求データを前記カードセンター統合サーバへ送信する手段と、
(b5)前記カードセンター統合サーバから送信されたＤＬＬデータを受信し、該ＤＬＬデータを記憶する手段とを具備することを特徴とする
加盟店端末機設置処理システム。
【請求項７】
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバにおいて、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段と、
(a6)端末機識別番号と各カード会社のＤＬＬデータとを対応付けて前記ＤＬＬデータベースへ登録する手段と、
(a7)前記加盟店端末機が前記端末情報データの受信に応じて該端末情報データに含まれる端末機識別番号と共に送信したＤＬＬ要求データを該加盟店端末機から受信する手段と、
(a8)前記ＤＬＬ要求データの受信に応じて、前記ＤＬＬデータベースを参照し、前記端末機識別番号に該当するＤＬＬデータを抽出する手段と、
(a9)抽出した前記ＤＬＬデータを前記加盟店端末機へ送信する手段とを具備することを特徴とする
加盟店端末機設置処理システムにおけるカードセンター統合サーバ。
【請求項８】
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機において、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記カードセンター統合サーバが前記端末情報データベースから抽出して送信した、前記設置用識別番号に該当する端末情報データを受信しかつ該受信した端末情報データを記憶する手段と、
(b4)前記端末情報データの受信に応じて、該端末情報データに含まれる端末機識別番号と共にＤＬＬ要求データを前記カードセンター統合サーバへ送信する手段と、
(b5)前記カードセンター統合サーバが前記ＤＬＬデータベースから抽出して送信した、前記端末機識別番号に該当するＤＬＬデータを受信しかつ該ＤＬＬデータを記憶する手段とを具備することを特徴とする
加盟店端末機設置処理システムにおける加盟店端末機。
【請求項９】
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおいて、
(ａ)前記カードセンター統合サーバが、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより、該設置用識別番号に該当する端末情報データを抽出する手段と、
(a5)端末機識別番号と各カード会社のＤＬＬデータとを対応付けて前記ＤＬＬデータベースへ登録する手段と、
(a7)前記ＤＬＬカードデータベースを参照することにより、前記抽出した端末情報データに含まれる端末機識別番号に該当するＤＬＬデータを抽出する手段と、
(a9)前記抽出した端末情報データ及びＤＬＬデータを前記加盟店端末機へ送信する手段とを具備し、
(ｂ)前記加盟店端末機が、
(b1)前記カードセンター統合サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記カードセンター統合サーバへの初回接続を行い、該設置用識別番号を該カードセンター統合サーバへ送信する手段と、
(b3)前記カードセンター統合サーバから送信された端末情報データ及びＤＬＬデータを受信し、該端末情報データ及びＤＬＬデータを記憶する手段とを具備することを特徴とする
加盟店端末機設置処理システム。
【請求項１０】
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバにおいて、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより、該設置用識別番号に該当する端末情報データを抽出する手段と、
(a5)端末機識別番号と各カード会社のＤＬＬデータとを対応付けて前記ＤＬＬデータベースへ登録する手段と、
(a7)前記ＤＬＬカードデータベースを参照することにより、前記抽出した端末情報データに含まれる端末機識別番号に該当するＤＬＬデータを抽出する手段と、
(a9)前記抽出した端末情報データ及びＤＬＬデータを前記加盟店端末機へ送信する手段とを具備することを特徴とする
加盟店端末機設置処理システムにおけるカードセンター統合サーバ。
【請求項１１】
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機において、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記カードセンター統合サーバが前記端末情報データベースを参照することにより抽出した、前記設置用識別番号に該当する端末情報データ、並びに前記カードセンター統合サーバが前記ＤＬＬデータベースを参照することにより抽出した、前記抽出した端末情報データに含まれる端末機識別番号に該当するＤＬＬデータの双方のデータを受信し、該端末情報データ並びに該ＤＬＬデータを記憶する手段とを具備することを特徴とする
加盟店端末機設置処理システムにおける加盟店端末機。
【請求項１２】
カードリーダを具備する加盟店端末機(10)と、
通信ネットワークにより該加盟店端末機と接続されかつ該加盟店端末機の設置処理の際に該加盟店端末機へ導入すべき端末情報データ(123)を登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該端末管理サーバ(30)に対し、
(a1)加盟店端末機の設置用識別番号と端末情報データとを対応付けて前記端末情報データベースへ登録する機能と、
(a2)前記加盟店端末機の前記カードリーダにより読み取り可能な端末設置カードに対して前記設置用識別番号を書き込む機能と、
(a3)前記端末設置カードに書き込まれた前記設置用識別番号を読み取った前記加盟店端末機から送信された該設置用識別番号を受信する機能と、
(a4)前記設置用識別番号の受信に応じて、前記端末情報データベースを参照することにより該設置用識別番号に該当する端末情報データを抽出する機能と、
(a5)抽出した前記端末情報データを前記加盟店端末機へ送信する機能とを実現させることを特徴とする
加盟店端末機設置処理システムにおける端末管理サーバ用プログラム。
【請求項１３】
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けて登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を端末機識別番号に対応付けて登録したＤＬＬデータベース(422)を具備するカードセンターサーバ(40)とを有して該加盟店端末機の設置処理を行うシステムにおける、該加盟店端末機(10)に対し、
(b1)前記端末管理サーバへ初回接続を行うための初回接続データを記憶した初期接続データ記憶手段を保持する機能と、
(b2)端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する機能と、
(b3)前記端末管理サーバが前記端末情報データベースから抽出して送信した、前記設置用識別番号に該当する端末情報データを受信しかつ該受信した端末情報データを記憶する機能と、
(b4)前記端末情報データの受信に応じて、該端末情報データに含まれる端末機識別番号と共にＤＬＬ要求データを前記カードセンターサーバへ送信する機能と、
(b5)前記カードセンターサーバが前記ＤＬＬデータベースから抽出して送信した、前記端末機識別番号に該当するＤＬＬデータを受信しかつ該ＤＬＬデータを記憶する機能とを実現させることを特徴とする
加盟店端末機設置処理システムにおける加盟店端末機用プログラム。
【請求項１４】
カードリーダを具備する加盟店端末機(10)と、
通信ネットワークにより該加盟店端末機と接続され、該加盟店端末機の設置処理の際に該加盟店端末機へ導入すべき端末情報データ(123)を設置用識別番号を対応付けて登録した端末情報データベース(322)を具備し、かつ該加盟店端末機が端末設置カードに書き込まれた設置用識別番号を前記カードリーダにより読み取り送信した該設置用識別番号を受信して、該当する端末情報データを該端末情報データベースから抽出し該加盟店端末機へ送信する手段を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該カードセンターサーバ(40)に対し、
(c1)端末機識別番号と各カード会社のＤＬＬデータとを対応付けて前記ＤＬＬデータベースへ登録する機能と、
(c2)前記加盟店端末機が前記端末管理サーバから受信した前記端末情報データに含まれる端末機識別番号と共に送信したＤＬＬ要求データを該加盟店端末機から受信する機能と、
(c3)前記ＤＬＬ要求データの受信に応じて、前記ＤＬＬデータベースを参照することにより前記端末機識別番号に該当するＤＬＬデータを抽出する機能と、
(c4)抽出した前記ＤＬＬデータを前記加盟店端末機へ送信する機能とを実現させることを特徴とする
加盟店端末機設置処理システムにおけるカードセンターサーバ用プログラム。
【請求項１５】
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバに対し、
(a1)加盟店端末機の設置用識別番号と端末情報データとを対応付けて前記端末情報データベースへ登録する機能と、
(a2)前記加盟店端末機の前記カードリーダにより読み取り可能な端末設置カードに対して前記設置用識別番号を書き込む機能と、
(a3)前記端末設置カードに書き込まれた前記設置用識別番号を読み取った前記加盟店端末機から送信された該設置用識別番号を受信する機能と、
(a4)前記設置用識別番号の受信に応じて、前記端末情報データベースを参照することにより該設置用識別番号に該当する端末情報データを抽出する機能と、
(a5)抽出した前記端末情報データを前記加盟店端末機へ送信する機能と、
(a6)端末機識別番号と各カード会社のＤＬＬデータとを対応付けて前記ＤＬＬデータベースへ登録する機能と、
(a7)前記加盟店端末機が前記端末情報データの受信に応じて該端末情報データに含まれる端末機識別番号と共に送信したＤＬＬ要求データを該加盟店端末機から受信する機能と、
(a8)前記ＤＬＬ要求データの受信に応じて、前記ＤＬＬデータベースを参照し、前記端末機識別番号に該当するＤＬＬデータを抽出する機能と、
(a9)抽出した前記ＤＬＬデータを前記加盟店端末機へ送信する機能を実現させることを特徴とする
加盟店端末機設置処理システムにおけるカードセンター統合サーバ用プログラム。
【請求項１６】
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機に対し、
(b1)前記カードセンター統合サーバへ初回接続を行うための初回接続データを記憶した初期接続データ記憶手段を保持する機能と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する機能と、
(b3)前記カードセンター統合サーバが前記端末情報データベースから抽出して送信した、前記設置用識別番号に該当する端末情報データを受信しかつ該受信した端末情報データを記憶する機能と、
(b4)前記端末情報データの受信に応じて、該端末情報データに含まれる端末機識別番号と共にＤＬＬ要求データを前記カードセンター統合サーバへ送信する機能と、
(b5)前記カードセンター統合サーバが前記ＤＬＬデータベースから抽出して送信した、前記端末機識別番号に該当するＤＬＬデータを受信しかつ該ＤＬＬデータを記憶する機能とを実現させることを特徴とする
加盟店端末機設置処理システムにおける加盟店端末機用プログラム。
【請求項１７】
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバに対し、
(a1)加盟店端末機の設置用識別番号と端末情報データとを対応付けて前記端末情報データベースへ登録する機能と、
(a2)前記加盟店端末機の前記カードリーダにより読み取り可能な端末設置カードに対して前記設置用識別番号を書き込む機能と、
(a3)前記端末設置カードに書き込まれた前記設置用識別番号を読み取った前記加盟店端末機から送信された該設置用識別番号を受信する機能と、
(a4)前記設置用識別番号の受信に応じて、前記端末情報データベースを参照することにより、該設置用識別番号に該当する端末情報データを抽出する機能と、
(a5)端末機識別番号と各カード会社のＤＬＬデータとを対応付けて前記ＤＬＬデータベースへ登録する機能と、
(a7)前記ＤＬＬカードデータベースを参照することにより、前記抽出した端末情報データに含まれる端末機識別番号に該当するＤＬＬデータを抽出する機能と、
(a9)前記抽出した端末情報データ及びＤＬＬデータを前記加盟店端末機へ送信する機能とを実現させることを特徴とする
加盟店端末機設置処理システムにおけるカードセンター統合サーバ用プログラム。
【請求項１８】
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機に対し、
(b1)前記カードセンター統合サーバへ初回接続を行うための初回接続データを記憶した初期接続データ記憶手段を保持する機能と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する機能と、
(b3)前記カードセンター統合サーバが前記端末情報データベースを参照することにより抽出した、前記設置用識別番号に該当する端末情報データ、並びに前記カードセンター統合サーバが前記ＤＬＬデータベースを参照することにより抽出した、前記抽出した端末情報データに含まれる端末機識別番号に該当するＤＬＬデータの双方のデータを受信し、該端末情報データ並びに該ＤＬＬデータを記憶する機能とを実現させることを特徴とする
加盟店端末機設置処理システムにおける加盟店端末機用プログラム。
【発明の詳細な説明】
【技術分野】
【０００１】
本発明は、クレジットカード及びデビットカードを利用する加盟店に設置されたＣＡＴ(Credit Authorization Terminal)機能を具備する加盟店端末機の初期設定すなわち設置処理を行うためのシステム、サーバ及び加盟店端末機並びにそのプログラムに関する。
【背景技術】
【０００２】
従来、クレジットカード及びデビットカード(以下、「カード」と称する)を利用するための加盟店端末機が加盟店に設置されている。加盟店端末機は、カードリーダを具備しており、磁気媒体若しくはＩＣチップ等の記憶手段を具備するカードに記憶されたカード情報を読み取り、通信ネットワークを介して与信処理や売上情報処理を行っている。加盟店端末機は一種のコンピュータであり、複数のカード会社にそれぞれ対応した与信処理や売上情報処理を行うために必要なアプリケーション及びデータがその内部の記憶装置（磁気ディスク装置、ＲＯＭ等）に予め格納されている。従って、新たな加盟店端末機を加盟店に設置する際には、実際の稼働に先立ってその加盟店端末機に対し必要な初期データを導入する処理（以下、「設置処理」と称する）を行う必要がある。
【０００３】
図１０は、従来の加盟店端末機の設置処理を行う業務フローを概略的に示す図である。以下、順に説明する。
・ステップＳ１：加盟店端末機を新たに設置しようとする加盟店が、加盟店端末機の提供企業（製造会社、販売会社等）に設置申込を行う。端末提供企業は、設置した全ての加盟店端末機を管理するための端末管理サーバを有しており、新規申込があった場合には、端末管理サーバに新規の端末情報データを入力することにより受付処理を行う。端末管理サーバは、端末情報データを登録したデータベースを保有している。
・ステップＳ２：端末提供企業は、加盟店に新規の加盟店端末機を持参して設置処理を行う訪問予定日を決定する。従来は、約２週間後を予定していた。
・ステップＳ３：加盟店端末機の在庫から端末提供企業への出荷が行われる。
・ステップＳ４：端末提供企業にて、新規の加盟店端末機に対して基本的な初期設定を行う。
・ステップＳ５：端末提供企業の拠点（申込をした加盟店の担当区域）に加盟店端末機を送付する。
・ステップＳ６：予定していた訪問日に設置作業員が設置処理のために加盟店を訪問する。このとき、加盟店端末機を持参する。
・ステップＳ７：設置作業員は、加盟店端末機に公衆通信回線網のラインを接続し、端末管理サーバ及びカードセンターサーバとのデータ伝送が可能となるように通信設定を行った後、端末管理サーバからは端末情報データをダウンロードし、カードセンターサーバからは各カード会社のＤＬＬ(Down Line Loading)情報データファイル（以下、「ＤＬＬデータ」と称する）をダウンロードする。これにより、設置処理を完了する。
【０００４】
ここでいうカードセンターサーバは、多数の加盟店端末機と、多数のクレジットカード会社又は金融機関（以下、単に「カード会社」と称する）の業務サーバとの間に介在して、双方の間の与信処理や売上処理に関するデータ伝送をオンラインで仲介したり代行したりする業務処理を行うサーバである。ＤＬＬデータは、各カード会社の発行するそれぞれのカード種別毎に異なる、売上業務に必要な情報を登録したファイルであり、各カード会社により必要に応じて更新登録される。カードセンターサーバは、各カード会社のＤＬＬデータを格納したＤＬＬデータベースを保有している。
【０００５】
通信設定では、例えば、回線種別（トーン、パルス等）の設定等を行う。端末管理サーバからダウンロードする端末情報データには、与信処理や売上処理を実行するための業務設定（クレジット専用機、デビット専用機、両用機用の各々の具体的パラメータ）、カードセンターサーバへの接続用通信設定（アクセスポイントの電話番号、プロトコル等）、操作環境設定、端末機識別番号等が含まれる。
設置処理完了後における加盟店端末機のカード利用処理機能は、周知慣用の技術であり、例えば、特許文献１等に記載されている。
【０００６】
【特許文献１】特開平６−２８２５５７号公報
【発明の開示】
【発明が解決しようとする課題】
【０００７】
図１０に示した従来の加盟店端末機の設置処理の業務のほとんどは、人手に頼った作業である。通常、加盟店の申し込みから設置処理完了までに、２週間程度を要していた。従って、加盟店端末機を早く使用したいという加盟店の要望に迅速に対応することができなかった。
また、設置作業員による設置処理の操作についても、端末管理サーバ及びカードセンターサーバへの通信ネットワークによる接続設定や種々の環境設定等のほとんどを、加盟店端末機のディスプレイ表示を確認しつつ入力キーから手動入力することにより行われていた。斯かる設定作業は、極めて専門的かつ煩雑であるので、加盟店自らが行うことは困難であり、設置作業員を派遣せざるを得ないのが現状であった。
【０００８】
以上の現状に鑑み、本発明は、加盟店端末機の申し込みから設置処理完了までに要する期間を大幅に短縮できる加盟店端末機設置処理システム等を実現することを目的とする。
また、本発明は、専門的で煩雑な操作を全く行うことなく簡易な操作で加盟店端末機の設置処理を実行することができる加盟店端末機設置処理システム等を実現することを目的とする。
【課題を解決するための手段】
【０００９】
上記の目的を達成すべく本発明は、以下の構成を提供する。
（１）請求項１に係る発明は、加盟店端末機の設置処理を行うシステムに係る発明であり、第１の実施形態に対応する。基本構成として、
カードリーダを具備する加盟店端末機(10)と、
通信ネットワークにより該加盟店端末機と接続されかつ該加盟店端末機の設置処理の際に該加盟店端末機へ導入すべき端末情報データ(123)を登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有する。
斯かる基本構成においてさらに、次の構成を具備する。
(ａ)前記端末管理サーバが、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段とを具備する。
(ｂ)前記加盟店端末機が、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記端末管理サーバから送信された端末情報データを受信し、該端末情報データを記憶する手段と、
(b4)前記端末情報データの受信に応じて、該端末情報データに含まれる端末機識別番号と共にＤＬＬ要求データを前記カードセンターサーバへ送信する手段と、
(b5)前記カードセンターサーバから送信されたＤＬＬデータを受信し、該ＤＬＬデータを記憶する手段とを具備する。
(ｃ)前記カードセンターサーバが、
(c1)端末機識別番号と各カード会社のＤＬＬデータとを対応付けて前記ＤＬＬデータベースへ登録する手段と、
(c2)前記加盟店端末機から送信された前記ＤＬＬ要求データを前記端末機識別番号と共に受信する手段と、
(c3)前記ＤＬＬ要求データの受信に応じて、前記ＤＬＬデータベースを参照することにより前記端末機識別番号に該当するＤＬＬデータを抽出する手段と、
(c4)抽出した前記ＤＬＬデータを前記加盟店端末機へ送信する手段とを具備する。
【００１０】
（２）請求項２に係る発明は、請求項１に記載のシステムにおいてさらに次の構成を有する。
前記カードセンターサーバ(40)における前記ＤＬＬデータベースへ登録する手段がさらに、各カード会社のＤＬＬデータとして、設置会社用ＤＬＬデータと利用会社用ＤＬＬデータの２種を登録しており、
前記カードセンターサーバおける前記ＤＬＬデータを抽出する手段がさらに、前記端末機識別番号に基づいて設置カード会社を判別し、該設置カード会社に該当するカード会社のＤＬＬデータとしては設置会社用ＤＬＬデータを、該当しないカード会社のＤＬＬデータとしては利用会社用ＤＬＬデータを抽出する。
【００１１】
（３）請求項３に係る発明は、第１の実施形態のシステムにおける端末管理サーバに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該端末管理サーバ(30)において、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段を具備することを特徴とする。
【００１２】
（４）請求項４に係る発明は、第１の実施形態における加盟店端末機に係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けて登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を端末機識別番号に対応付けて登録したＤＬＬデータベース(422)を具備するカードセンターサーバ(40)とを有して該加盟店端末機の設置処理を行うシステムにおける、該加盟店端末機(10)において、
(b1)前記端末管理サーバへ初回接続を行うための初回接続データを記憶した初期接続データ記憶手段と、
(b2)端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記端末管理サーバが前記端末情報データベースから抽出して送信した、前記設置用識別番号に該当する端末情報データを受信しかつ該受信した端末情報データを記憶する手段と、
(b4)前記端末情報データの受信に応じて、該端末情報データに含まれる端末機識別番号と共にＤＬＬ要求データを前記カードセンターサーバへ送信する手段と、
(b5)前記カードセンターサーバが前記ＤＬＬデータベースから抽出して送信した、前記端末機識別番号に該当するＤＬＬデータを受信しかつ該ＤＬＬデータを記憶する手段とを具備することを特徴とする。
【００１３】
（５）請求項５に係る発明は、第１の実施形態におけるカードセンターサーバに係る発明であって、次の構成を有する。
カードリーダを具備する加盟店端末機(10)と、
通信ネットワークにより該加盟店端末機と接続され、該加盟店端末機の設置処理の際に該加盟店端末機へ導入すべき端末情報データ(123)を設置用識別番号を対応付けて登録した端末情報データベース(322)を具備し、かつ該加盟店端末機が端末設置カードに書き込まれた設置用識別番号を前記カードリーダにより読み取り送信した該設置用識別番号を受信して、該当する端末情報データを該端末情報データベースから抽出し該加盟店端末機へ送信する手段を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該カードセンターサーバ(40)において、
(c1)端末機識別番号と各カード会社のＤＬＬデータとを対応付けて前記ＤＬＬデータベースへ登録する手段と、
(c2)前記加盟店端末機が前記端末管理サーバから受信した前記端末情報データに含まれる端末機識別番号と共に送信したＤＬＬ要求データを該加盟店端末機から受信する手段と、
(c3)前記ＤＬＬ要求データの受信に応じて、前記ＤＬＬデータベースを参照することにより前記端末機識別番号に該当するＤＬＬデータを抽出する手段と、
(c4)抽出した前記ＤＬＬデータを前記加盟店端末機へ送信する手段とを具備する。
【００１４】
（６）請求項６に係る発明は、加盟店端末機の設置処理を行うシステムに係る発明であって、第２の実施形態に対応する。基本的構成として、
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有する。
斯かる基本構成においてさらに、次の構成を具備する。
(ａ)前記カードセンター統合サーバが、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段と、
(a6)端末機識別番号と各カード会社のＤＬＬデータとを対応付けて前記ＤＬＬデータベースへ登録する手段と、
(a7)前記加盟店端末機が前記端末情報データの受信に応じて該端末情報データに含まれる端末機識別番号と共に送信したＤＬＬ要求データを該加盟店端末機から受信する手段と、
(a8)前記ＤＬＬ要求データの受信に応じて、前記ＤＬＬデータベースを参照することにより前記端末機識別番号に該当するＤＬＬデータを抽出する手段と、
(a9)抽出した前記ＤＬＬデータを前記加盟店端末機へ送信する手段とを具備し、
(ｂ)前記加盟店端末機が、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記カードセンター統合サーバから送信された端末情報データを受信し、該端末情報データを記憶する手段と、
(b4)前記端末情報データの受信に応じて、該端末情報データに含まれる端末機識別番号と共にＤＬＬ要求データを前記カードセンター統合サーバへ送信する手段と、
(b5)前記カードセンター統合サーバから送信されたＤＬＬデータを受信し、該ＤＬＬデータを記憶する手段とを具備する。
【００１５】
（７）請求項７に係る発明は、第２の実施形態におけるカードセンター統合サーバに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバにおいて、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより該設置用識別番号に該当する端末情報データを抽出する手段と、
(a5)抽出した前記端末情報データを前記加盟店端末機へ送信する手段と、
(a6)端末機識別番号と各カード会社のＤＬＬデータとを対応付けて前記ＤＬＬデータベースへ登録する手段と、
(a7)前記加盟店端末機が前記端末情報データの受信に応じて該端末情報データに含まれる端末機識別番号と共に送信したＤＬＬ要求データを該加盟店端末機から受信する手段と、
(a8)前記ＤＬＬ要求データの受信に応じて、前記ＤＬＬデータベースを参照し、前記端末機識別番号に該当するＤＬＬデータを抽出する手段と、
(a9)抽出した前記ＤＬＬデータを前記加盟店端末機へ送信する手段とを具備する。
【００１６】
（８）請求項８に係る発明は、第２の実施形態における加盟店端末機に係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機において、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記カードセンター統合サーバが前記端末情報データベースから抽出して送信した、前記設置用識別番号に該当する端末情報データを受信しかつ該受信した端末情報データを記憶する手段と、
(b4)前記端末情報データの受信に応じて、該端末情報データに含まれる端末機識別番号と共にＤＬＬ要求データを前記カードセンター統合サーバへ送信する手段と、
(b5)前記カードセンター統合サーバが前記ＤＬＬデータベースから抽出して送信した、前記端末機識別番号に該当するＤＬＬデータを受信しかつ該ＤＬＬデータを記憶する手段とを具備する。
【００１７】
（９）請求項９に係る発明は、加盟店端末機の設置処理を行うシステムに係る発明であって、第３の実施形態に対応する。基本構成として、
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有する。
斯かる基本構成においてさらに次の構成を具備する。
(ａ)前記カードセンター統合サーバが、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより、該設置用識別番号に該当する端末情報データを抽出する手段と、
(a5)端末機識別番号と各カード会社のＤＬＬデータとを対応付けて前記ＤＬＬデータベースへ登録する手段と、
(a7)前記ＤＬＬカードデータベースを参照することにより、前記抽出した端末情報データに含まれる端末機識別番号に該当するＤＬＬデータを抽出する手段と、
(a9)前記抽出した端末情報データ及びＤＬＬデータを前記加盟店端末機へ送信する手段とを具備し、
(ｂ)前記加盟店端末機が、
(b1)前記カードセンター統合サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記カードセンター統合サーバへの初回接続を行い、該設置用識別番号を該カードセンター統合サーバへ送信する手段と、
(b3)前記カードセンター統合サーバから送信された端末情報データ及びＤＬＬデータを受信し、該端末情報データ及びＤＬＬデータを記憶する手段とを具備する。
【００１８】
（１０）請求項１０に係る発明は、第３の実施形態におけるカードセンター統合サーバに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバにおいて、
(a1)加盟店端末機の設置用識別番号と端末情報データとを対応付けて前記端末情報データベースへ登録する手段と、
(a2)前記加盟店端末機の前記カードリーダにより読み取り可能な端末設置カードに対して前記設置用識別番号を書き込む手段と、
(a3)前記端末設置カードに書き込まれた前記設置用識別番号を読み取った前記加盟店端末機から送信された該設置用識別番号を受信する手段と、
(a4)前記設置用識別番号の受信に応じて、前記端末情報データベースを参照することにより、該設置用識別番号に該当する端末情報データを抽出する手段と、
(a5)端末機識別番号と各カード会社のＤＬＬデータとを対応付けて前記ＤＬＬデータベースへ登録する手段と、
(a7)前記ＤＬＬカードデータベースを参照することにより、前記抽出した端末情報データに含まれる端末機識別番号に該当するＤＬＬデータを抽出する手段と、
(a9)前記抽出した端末情報データ及びＤＬＬデータを前記加盟店端末機へ送信する手段とを具備することを特徴とする
加盟店端末機設置処理システムにおけるカードセンター統合サーバ。
【００１９】
（１１）請求項１１に係る発明は、第３の実施形態における加盟店端末機に係る発明であって、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機において、
(b1)前記端末管理サーバへ初回接続を行うための初回接続データを記憶した初期接続データ記憶手段と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する手段と、
(b3)前記カードセンター統合サーバが前記端末情報データベースを参照することにより抽出した、前記設置用識別番号に該当する端末情報データ、並びに前記カードセンター統合サーバが前記ＤＬＬデータベースを参照することにより抽出した、前記抽出した端末情報データに含まれる端末機識別番号に該当するＤＬＬデータの双方のデータを受信し、該端末情報データ並びに該ＤＬＬデータを記憶する手段とを具備する。
【００２０】
（１２）請求項１２に係る発明は、第１の実施形態における端末管理サーバの機能を実現させるプログラムに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該端末管理サーバ(30)に対し、
(a1)加盟店端末機の設置用識別番号と端末情報データとを対応付けて前記端末情報データベースへ登録する機能と、
(a2)前記加盟店端末機の前記カードリーダにより読み取り可能な端末設置カードに対して前記設置用識別番号を書き込む機能と、
(a3)前記端末設置カードに書き込まれた前記設置用識別番号を読み取った前記加盟店端末機から送信された該設置用識別番号を受信する機能と、
(a4)前記設置用識別番号の受信に応じて、前記端末情報データベースを参照することにより該設置用識別番号に該当する端末情報データを抽出する機能と、
(a5)抽出した前記端末情報データを前記加盟店端末機へ送信する機能とを実現させる端末管理サーバ用プログラムである。
【００２１】
（１３）請求項１３に係る発明は、第１の実施形態における加盟店端末機の機能を実現させるプログラムに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けて登録した端末情報データベース(322)を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を端末機識別番号に対応付けて登録したＤＬＬデータベース(422)を具備するカードセンターサーバ(40)とを有して該加盟店端末機の設置処理を行うシステムにおける、該加盟店端末機(10)に対し、
(b1)前記端末管理サーバへ初回接続を行うための初回接続データを記憶した初期接続データ記憶手段を保持する機能と、
(b2)端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する機能と、
(b3)前記端末管理サーバが前記端末情報データベースから抽出して送信した、前記設置用識別番号に該当する端末情報データを受信しかつ該受信した端末情報データを記憶する機能と、
(b4)前記端末情報データの受信に応じて、該端末情報データに含まれる端末機識別番号と共にＤＬＬ要求データを前記カードセンターサーバへ送信する機能と、
(b5)前記カードセンターサーバが前記ＤＬＬデータベースから抽出して送信した、前記端末機識別番号に該当するＤＬＬデータを受信しかつ該ＤＬＬデータを記憶する機能とを実現させる加盟店端末機用プログラムである。
【００２２】
（１４）請求項１４に係る発明は、第１の実施形態におけるカードセンターサーバの機能を実現させるプログラムに係る発明であり、次の構成を有する。
カードリーダを具備する加盟店端末機(10)と、
通信ネットワークにより該加盟店端末機と接続され、該加盟店端末機の設置処理の際に該加盟店端末機へ導入すべき端末情報データ(123)を設置用識別番号を対応付けて登録した端末情報データベース(322)を具備し、かつ該加盟店端末機が端末設置カードに書き込まれた設置用識別番号を前記カードリーダにより読み取り送信した該設置用識別番号を受信して、該当する端末情報データを該端末情報データベースから抽出し該加盟店端末機へ送信する手段を具備する端末管理サーバ(30)と、
通信ネットワークにより該加盟店端末機と接続されかつ該加盟店端末機の設置処理の際に該加盟店端末機へ導入すべき各カード会社のＤＬＬデータ(124)を登録したＤＬＬデータベース(422)を具備するカードセンターサーバ(40)とを有して該加盟店端末機の設置処理を行うシステムにおける、該カードセンターサーバ(40)に対し、
(c1)端末機識別番号と各カード会社のＤＬＬデータとを対応付けて前記ＤＬＬデータベースへ登録する機能と、
(c2)前記加盟店端末機が前記端末管理サーバから受信した前記端末情報データに含まれる端末機識別番号と共に送信したＤＬＬ要求データを該加盟店端末機から受信する機能と、
(c3)前記ＤＬＬ要求データの受信に応じて、前記ＤＬＬデータベースを参照することにより前記端末機識別番号に該当するＤＬＬデータを抽出する機能と、
(c4)抽出した前記ＤＬＬデータを前記加盟店端末機へ送信する機能とを実現させるカードセンターサーバ用プログラムである。
【００２３】
（１５）請求項１５に係る発明は、第２の実施形態におけるカードセンター統合サーバの機能を実現させるプログラムに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバに対し、
(a1)加盟店端末機の設置用識別番号と端末情報データとを対応付けて前記端末情報データベースへ登録する機能と、
(a2)前記加盟店端末機の前記カードリーダにより読み取り可能な端末設置カードに対して前記設置用識別番号を書き込む機能と、
(a3)前記端末設置カードに書き込まれた前記設置用識別番号を読み取った前記加盟店端末機から送信された該設置用識別番号を受信する機能と、
(a4)前記設置用識別番号の受信に応じて、前記端末情報データベースを参照することにより該設置用識別番号に該当する端末情報データを抽出する機能と、
(a5)抽出した前記端末情報データを前記加盟店端末機へ送信する機能と、
(a6)端末機識別番号と各カード会社のＤＬＬデータとを対応付けて前記ＤＬＬデータベースへ登録する機能と、
(a7)前記加盟店端末機が前記端末情報データの受信に応じて該端末情報データに含まれる端末機識別番号と共に送信したＤＬＬ要求データを該加盟店端末機から受信する機能と、
(a8)前記ＤＬＬ要求データの受信に応じて、前記ＤＬＬデータベースを参照し、前記端末機識別番号に該当するＤＬＬデータを抽出する機能と、
(a9)抽出した前記ＤＬＬデータを前記加盟店端末機へ送信する機能を実現させるカードセンター統合サーバ用プログラムである。
【００２４】
（１６）請求項１６に係る発明は、第２の実施形態における加盟店端末機の機能を実現させるプログラムに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機に対し、
(b1)前記カードセンター統合サーバへ初回接続を行うための初回接続データを記憶した初期接続データ記憶手段を保持する機能と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する機能と、
(b3)前記カードセンター統合サーバが前記端末情報データベースから抽出して送信した、前記設置用識別番号に該当する端末情報データを受信しかつ該受信した端末情報データを記憶する機能と、
(b4)前記端末情報データの受信に応じて、該端末情報データに含まれる端末機識別番号と共にＤＬＬ要求データを前記カードセンター統合サーバへ送信する機能と、
(b5)前記カードセンター統合サーバが前記ＤＬＬデータベースから抽出して送信した、前記端末機識別番号に該当するＤＬＬデータを受信しかつ該ＤＬＬデータを記憶する機能とを実現させる加盟店端末機用プログラムである。
【００２５】
（１７）請求項１７に係る発明は、第３の実施形態におけるカードセンター統合サーバの機能を実現させるプログラムに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)及び各カード会社のＤＬＬデータ(124)をそれぞれ登録した端末情報データベース(522)及びＤＬＬデータベース(524)を具備するカードセンター統合サーバ(50)とを有して該加盟店端末機の設置処理を行うシステムにおける、該カードセンター統合サーバに対し、
(a1)加盟店端末機の設置用識別番号と端末情報データとを対応付けて前記端末情報データベースへ登録する機能と、
(a2)前記加盟店端末機の前記カードリーダにより読み取り可能な端末設置カードに対して前記設置用識別番号を書き込む機能と、
(a3)前記端末設置カードに書き込まれた前記設置用識別番号を読み取った前記加盟店端末機から送信された該設置用識別番号を受信する機能と、
(a4)前記設置用識別番号の受信に応じて、前記端末情報データベースを参照することにより、該設置用識別番号に該当する端末情報データを抽出する機能と、
(a5)端末機識別番号と各カード会社のＤＬＬデータとを対応付けて前記ＤＬＬデータベースへ登録する機能と、
(a7)前記ＤＬＬカードデータベースを参照することにより、前記抽出した端末情報データに含まれる端末機識別番号に該当するＤＬＬデータを抽出する機能と、
(a9)前記抽出した端末情報データ及びＤＬＬデータを前記加盟店端末機へ送信する機能とを実現させるカードセンター統合サーバ用プログラムである。
【００２６】
（１８）請求項１８に係る発明は、第３の実施形態における加盟店端末機の機能を実現させるプログラムに係る発明であり、次の構成を有する。
カードリーダを具備する加盟店端末機(10)と、
通信ネットワークにより該加盟店端末機と接続されかつ該加盟店端末機の設置処理の際に該加盟店端末機へ導入すべき端末情報データ(123)を設置用識別番号と対応付けた登録した端末情報データベース(522)及び各カード会社のＤＬＬデータ(124)を端末機識別番号に対応付けて登録したＤＬＬデータベース(524)を具備するカードセンター統合サーバ(50)とを有して該加盟店端末機の設置処理を行うシステムにおける、該加盟店端末機に対し、
(b1)前記カードセンター統合サーバへ初回接続を行うための初回接続データを記憶した初期接続データ記憶手段を保持する機能と、
(b2)前記端末設置カードに書き込まれた前記設置用識別番号を前記カードリーダにより読み取ることに応じて、前記初回接続データを用いて前記端末管理サーバへの初回接続を行い、該設置用識別番号を該端末管理サーバへ送信する機能と、
(b3)前記カードセンター統合サーバが前記端末情報データベースを参照することにより抽出した、前記設置用識別番号に該当する端末情報データ、並びに前記カードセンター統合サーバが前記ＤＬＬデータベースを参照することにより抽出した、前記抽出した端末情報データに含まれる端末機識別番号に該当するＤＬＬデータの双方のデータを受信し、該端末情報データ並びに該ＤＬＬデータを記憶する機能とを実現させる加盟店端末機用プログラムである。
【発明の効果】
【００２７】
本発明の第１の実施形態においては、加盟店端末機の設置用識別番号と端末情報データとを対応付けた端末情報データベースを端末管理サーバに設けると共に、端末機識別番号と各カード会社のＤＬＬデータとを対応付けたＤＬＬデータベースをカードセンターサーバへ設ける。そして、端末設置カードに書き込まれた設置用識別番号を加盟店端末機に読み取らせることにより加盟店端末機から端末管理サーバへ設置用識別番号が送信される。端末管理サーバは受信した設置用識別番号に該当する端末情報データを端末情報データベースから抽出して加盟店端末機へ送信する。続いて、加盟店端末機は、カードセンターサーバへＤＬＬ要求データを端末機識別番号（受信した端末情報データに含まれている）と共に送信し、カードセンターサーバは、受信した端末機識別番号に該当するカード会社のＤＬＬデータを抽出して加盟店端末機へ送信する。この構成により、加盟店端末機は、端末設置カードを読み取らせるだけで端末情報データとＤＬＬデータのダウンロードを自動的に完了することができる。
【００２８】
この結果、加盟店端末機の申し込みから設置処理完了までの期間は、２〜３日程度となり、従来の２週間程度から大幅に短縮される。しかも、２〜３日の期間のほとんどは、加盟店端末機と端末設置カードの送付に要する期間であるので、加盟店端末機に端末設置カードを読み取らせてから完了するまでの設置処理自体は数分程度である。また、加盟店端末機の操作も、端末設置カードを１回読み取らせるのみであるので極めて容易であり、専門的な知識は全く不要である。
【００２９】
また、既存の加盟店端末機に故障等が発生した際、その故障した既存の加盟店端末機を当該加盟店に存在する別の加盟店端末機に交換する場合がある。そのような場合、端末管理サーバの端末情報データベースに格納されている既存の加盟店端末機の端末情報データに含まれる製品識別番号を、交換しようとする別の加盟店端末機の製品識別番号に書き換える処理を行った後、加盟店において既存の加盟店端末機用の端末設置カードの設置用識別番号を、交換しようとする別の加盟店端末機に読み取らせれば、その別の加盟店端末機に既存の加盟店端末機用の端末情報データとＤＬＬデータをダウンロードさせることができる。従来では、このような対処はできなかった。
【００３０】
本発明の第２の実施形態においては、第１の実施形態における端末管理サーバとカードセンターサーバの機能を統合したカードセンター統合サーバを構築する。これにより、加盟店端末機が２つのサーバとそれぞれ接続する必要がなくなり、１つのサーバとの間のセッションのみで設置処理を完了できるので、設置処理に要する時間がさらに短縮される。また、加盟店端末機に当初導入する端末設置処理アプリケーションも簡素化でき、通信制御等の処理負担も軽減される。
【００３１】
本発明の第３の実施形態においては、第２の実施形態において端末情報データとＤＬＬデータを加盟店端末機へ順次送信していた構成を、一括して送信する構成とした。従って、加盟店端末機はＤＬＬ要求データを送信する必要がなくなり、最初に設置用識別番号を送信するのみで、端末情報データとＤＬＬデータの双方を受信することができる。従って、設置処理に要する時間がさらに短縮されると共に、加盟店端末機に当初導入する端末設置処理アプリケーションもさらに簡素化でき、処理負担も軽減される。
【発明を実施するための最良の形態】
【００３２】
以下、図面を参照しつつ本発明の実施の形態を説明する。
（１）第１の実施形態（請求項１〜５、請求項１２〜１４）
図１は、本発明による加盟店端末機設置処理システムの第１の実施形態の概略的な構成図である。本システムの主要な構成要素であるコンピュータは、加盟店に設置される新規の加盟店端末機１０、端末管理サーバ３０及びカードセンターサーバ４０である。端末管理サーバ３０は、加盟店端末機１０の装置本体を提供する端末提供企業（製造会社、販売会社等）により設けられる。端末管理サーバ３０と加盟店端末機１０とは、通信ネットワーク７０により接続され相互にデータ伝送可能である。カードセンターサーバ４０もまた、加盟店端末機１０と通信ネットワーク７０により接続され相互にデータ伝送可能である。カードセンターサーバ４０は、加盟店端末機１０と各カード会社サーバ６０との間に介在して通常のカード利用に係るデータ伝送処理(与信処理や売上情報処理)を実行する。
【００３３】
先ず、本システムの前提となる業務フローの概要は、次の(i)〜(v)の通りである。
(i)加盟店端末機１０を新たに設置しようとする加盟店が、加盟店端末機の提供企業に設置申込を行う。端末提供企業は、新規申込があった場合には、端末管理サーバ３０に新規の加盟店端末機１０のための端末情報データを入力することにより受付処理を行う。設置申込にあたって加盟店は、希望する業務設定内容（クレジットカード専用機か、デビットカード専用機か、両用機か、利用可能なカード会社等）を通知するので、これら通知されたデータも端末情報データに加えられる。端末管理サーバ３０は、加盟店に設置した加盟店端末機１０を管理するために、端末情報データを登録した端末情報データベース３２２を保有している。
【００３４】
(ii)さらに端末管理サーバ３０は、新規の加盟店端末機１０に固有の設置用識別番号を決定し、端末情報データに付加する。また、設置用識別番号とは別に、加盟店端末機１０に固有の端末機識別番号も決定し、端末情報データに含める。続いて、加盟店端末機１０により読み取り可能な端末設置カード２０に設置用識別番号を書き込む。端末設置カード２０は、加盟店端末機１０に適合した寸法、形状と記憶媒体２１とを具備しており、その記憶媒体２１には設置用識別番号のみが記憶されている。設置用識別番号は、例えば、適宜の桁数の英数字の組合せであり、特定の意味情報を含まないものであるので、たとえ紛失してもセキュリティ上全く問題はない。記憶媒体２１は、磁気媒体が安価で好ましいがＩＣチップでもよく、いずれにしても適用する加盟店端末機１０により読み取り可能なものとする。
【００３５】
(iii)端末提供企業は、加盟店端末機１０と端末設置カード２０とを加盟店へ送付する。
【００３６】
(iv)加盟店にて、加盟店端末機１０の電源を投入し、公衆通信回線網のライン（モジュラージャック）を接続し、印刷用のロール紙をセットする。
【００３７】
(v)端末設置カード２０を加盟店端末機１０のカードリーダ１３に適用（通常、カード用スリット内を通過させる）し、記憶媒体２１に記憶された設置用識別番号を読み取らせる。
【００３８】
(vi)加盟店端末機１０による端末設置処理機能１１１が自動的に起動し、端末管理サーバ３０から端末情報データのダウンロード及びカードセンターサーバ４０からのＤＬＬデータのダウンロード(ＤＬ)を実行し、それぞれ記憶手段１２に端末情報データファイル１２３及び各カード会社ＤＬＬデータファイル１２４として記憶し、設置処理が完了する。
【００３９】
以下、システム構成について説明する。
（1-1）加盟店端末機の構成
加盟店端末機１０は、ＣＰＵとメモリ(例えばＲＡＭ等の半導体記憶素子)を含む制御手段１１と、磁気ディスク装置又はＲＯＭ等の記憶手段１２とを具備する。記憶手段１２には、アプリケーションプログラム(以下、「ＡＰＬ」と称する)やデータのファイルが実行可能又は利用可能な状態で格納され、すなわち導入されている。制御手段１１にてメモリに適宜のＡＰＬを読み込み、ＣＰＵが演算及び制御を実行することにより種々の業務処理機能が実現される。
【００４０】
加盟店端末機１０の記憶手段１２に当初から導入されている端末設置処理ＡＰＬファイル１２１は、本発明独自の構成要素である。「当初から」とは、加盟店端末機１０が加盟店に送付されてきた時点で既に導入されていることを意味する。端末設置処理ＡＰＬ１２１は、同じく本発明独自の構成要素である端末設置カード２０をカードリーダ１３に適用することにより起動され、端末設置処理機能１１１を実現する。端末設置処理機能１１１により、端末管理サーバ３０から端末情報データ１２３を、カードセンターサーバ４０から各カード会社ＤＬＬデータ１２４をダウンロードする。そして、端末情報データ１２３を用いて加盟店端末機１０の初期の業務設定及び環境設定等が実現される。また、各カード会社ＤＬＬデータ１２４は、各カード会社に特有のカード利用処理のために用いられる。尚、端末設置処理ＡＰＬ１２１には、予め設定された端末管理サーバ３０への初回接続データが保持（記憶）されている。
【００４１】
加盟店端末機１０の記憶手段１２に当初から導入されているＡＰＬファイルの一つは、設置処理完了後に通常のカード利用処理機能１１２を実行する際に起動されるカード利用処理ＡＰＬ１２２である。このカード利用処理ＡＰＬ１２２は既存のものであり、カード利用処理機能１１２は与信処理や売上情報処理等の機能である。
【００４２】
加盟店端末機１０はさらに、処理の進行状況や入力状況を表示するための液晶ディスプレイ等の表示手段１４を具備する。また、アナログ回線用にはモデム及びＮＣＵ等の、デジタル回線用にはＴＡ及びＤＳＵ等の通信手段１５を具備する。
【００４３】
尚、端末管理サーバ３０及びカードセンターサーバ４０の各々と接続するための通信ネットワーク７０は、アナログ公衆通信回線、ＩＳＤＮ回線、ＩＰ−ＶＰＮ等いずれでもよく、また回線交換通信のみでなくパケット交換通信であってもよい。好適には、加盟店端末機１０が端末管理サーバ３０及びカードセンターサーバ４０のそれぞれのアクセスポイントへＰＰＰプロトコルを用いてダイヤルアップすることにより接続を確立する。加盟店端末機１０はまた、キーボタン等の入力手段１６、処理結果を印刷するための印刷手段１７を具備する。これらは、いずれも既存の構成要素である。
【００４４】
（1-2）端末管理サーバの構成
端末管理サーバ３０は、ＣＰＵとメモリ(例えばＲＡＭ等の半導体記憶素子)を含む制御手段３１と、磁気ディスク装置等の記憶手段３２とを具備する。記憶手段３２には、ＡＰＬファイルやデータベースファイルが実行可能若しくは利用可能な状態で格納すなわち導入されている。制御手段３１にて、メモリに適宜のＡＰＬを読み込み、ＣＰＵが演算処理並びにデータベースファイル及び周辺装置の制御等を実行することにより種々の業務処理機能が実現される。
【００４５】
端末管理サーバ３０の記憶手段３２に導入されている端末情報登録処理ＡＰＬ３２１は、既存の端末情報登録処理ＡＰＬに本発明独自の機能を付加した構成要素であり、端末情報登録処理機能３１１を実現する。端末情報登録処理ＡＰＬ３２１は、新規の加盟店端末機１０の申込みがあった際に、キーボード等の入力手段３６を用いて入力された端末情報データから新規レコードを作成し、記憶手段３２内の端末情報データベース３２２に登録する処理を行う。登録処理においては、加盟店端末機に固有の端末機識別番号を決定し、端末情報データに含める。ここまでは既存の処理である。本発明ではさらに、新規の加盟店端末機１０に固有の設置用識別番号を決定し、これを端末情報データに付加すると共に、カードライタ３４を用いて端末設置カード２０の記憶媒体２１に設置用識別番号を書き込む。カードライタ３４は、端末設置カード２０の記憶媒体２１にデータを書き込む機能を具備する装置である。尚、カードライタ３４により書き込まれた設置用識別番号は、加盟店端末機１０のカードリーダ１３により読み取ることができる。
【００４６】
端末管理サーバ３０の記憶手段３２に導入されている端末設置処理ＡＰＬ３２３は、本発明独自の構成要素である。端末設置処理ＡＰＬ３２３は、加盟店端末機１０との間に接続が確立されることにより起動され、端末設置処理機能３１２を実現する。すなわち、加盟店端末機１０から送信された設置用識別番号を受信すると、端末情報データベース３２２を参照し、その設置用識別番号に該当する端末情報データを抽出する。そして、抽出した端末情報データを加盟店端末機１０へ送信する。
【００４７】
端末管理サーバ３０の記憶手段３２に格納されている端末情報データベース３２２は、既存の端末情報データベースの情報項目に加えて本発明独自の情報項目、例えば、「設置用識別番号」が付加されている。尚、従来も、設置した加盟店端末機毎に固有の識別番号を付与することは、管理上よく行われることであり、本発明では「端末機識別番号」がこれに該当する。しかしながら、設置用識別番号は、加盟店端末機１０への端末情報データ及びＤＬＬデータの自動ダウンロード処理すなわち設置処理を開始するための起動要素として用いられる点で、従来の端末機識別番号とは全く異なる意義を有する。端末情報データベース３２２の詳細については後述する。
【００４８】
尚、図１の端末管理サーバ３０のハードウェア構成は模式的に示したものであり、各ハードウェア構成は、内蔵装置であっても外付け装置であってもよい。また、複数のコンピュータに機能を分散させて構成してもよく、例えば、端末情報データベース３２２は、データベースサーバにより構築してもよい。
【００４９】
（1-3）カードセンタサーバの構成
カードセンターサーバ４０は、ＣＰＵとメモリ(例えばＲＡＭ等の半導体記憶素子)を含む制御手段４１と、磁気ディスク装置等の記憶手段４２とを具備する。記憶手段４２には、ＡＰＬファイルやデータベースファイルが実行可能若しくは利用可能な状態で格納すなわち導入されている。制御手段４１にてメモリに適宜のＡＰＬを読み込み、ＣＰＵが演算処理並びにデータベースファイルへのアクセス制御を実行することにより種々の業務処理機能が実現される。
【００５０】
カードセンターサーバ４０の記憶手段４２に導入されている端末設置処理ＡＰＬ４２１は、本発明独自の構成要素である。端末設置処理ＡＰＬ４２１は、加盟店端末機１０との間に接続が確立されることにより起動され、端末設置処理機能４１１を実現する。すなわち、加盟店端末機１０から送信されたＤＬＬ要求データを受信すると、ＤＬＬデータベース４２２を参照し、そのＤＬＬ要求データと共に受信した端末機識別番号に該当するＤＬＬデータを抽出する。そして、抽出したＤＬＬデータを加盟店端末機１０へ送信する。
【００５１】
カードセンターサーバ４０の記憶手段４２に格納されているＤＬＬデータベース４２２のデータ内容は、既存のＤＬＬデータベースと同じであるが、本発明に対応した検索及び抽出のアクセス制御を行うことにより、本発明に用いることができる。詳細については後述する。
【００５２】
カードセンターサーバ４０の記憶手段４２に導入されているカード利用処理処理ＡＰＬ４２３は、既存のものであり、カードセンターサーバ４０の本来の業務に係るカード利用処理機能４１２を実現する。カードセンターサーバ４０は、多数の加盟店端末機１０と多数のカード会社の業務サーバ６０との間に介在して、双方の間の与信処理や売上処理に関するデータ伝送をオンラインで仲介したり代行したりする業務処理を行う。カードセンターサーバ４０とカード会社サーバ６０も適宜の通信ネットワーク８０により接続され、相互データ伝送可能である。
【００５３】
尚、カードセンターサーバ４０のハードウェア構成は模式的に示したものであり、各ハードウェア構成は、内蔵装置であっても外付け装置であってもよい。また、複数のコンピュータに機能を分散させて構成してもよく、例えば、ＤＬＬデータベース４２２は、データベースサーバにより構築してもよい。
【００５４】
（1-4）端末管理サーバにおける端末情報登録処理
図２は、図１の端末管理サーバ３０における端末情報登録処理３１１の概略的フローを示している。尚、コンピュータシステム処理以外のステップについては、一点破線で囲むことにより区別している。また、説明のために図１中の符号も用いる（以下、同様）。
【００５５】
・ステップＳ１０１：加盟店から端末提供企業へ新規の加盟店端末機の設置申込みが行われる。例えば、希望する業務設定内容等の申込情報を記載した申込書類をオフラインで提出する方式、インターネットを介してウェブサイト経由で申込データを送信する方式等を用いることができる。
【００５６】
・ステップＳ１０２：端末管理サーバ３０が、新規の加盟店端末機１０に関する端末情報データの入力を受け付ける。例えば、端末管理サーバ３０の操作用端末等のキーボード等の入力手段３６から申込情報を入力するか、ウェブサイト経由で受信した申込データを転送することにより行う。尚、申込データ以外に、端末提供企業側で設定する必要のあるデータがあればそれらも入力する。
【００５７】
・ステップＳ１０３：端末管理サーバ３０は、新規の加盟店端末機１０に設置用識別番号及び端末機識別番号を決定する。
「設置用識別番号」は、例えば、ランダムに配列した１０桁程度の数字、英字若しくは英数字からなる特定の意味のない番号であるが、加盟店端末機１０毎に固有の番号である。設置用識別番号は、本システム独自の構成要素であり、設置処理においてのみ用いられる。
一方、「端末機識別番号」は、例えば、端末管理サーバ３０が加盟店端末機仕様に関する種々のデータファイルを用いて決定される。端末機仕様データファイルとは、例えば、設置カード会社コードファイル３２４、端末提供企業コードファイル３２５、機種コードファイル３２６、端末通番管理ファイル３２７等である。これらを適宜組合せることにより、例えば数字、英字若しくは英数字からなる番号を決定する。従って、端末機識別番号の各桁のデータは、設置カード会社、端末提供企業、機種コード等の情報に対応しているので、端末機識別番号からこれらの情報を判別することができる。例えば、１〜５桁は設置カード会社を、６桁目は端末提供企業を、７〜９桁は機種コードを表す、等である。端末機識別番号は、設置処理においては後述するＤＬＬデータのダウンロードにおいて用いられ、その後のカード利用処理においても用いられる。
【００５８】
・ステップＳ１０４：ステップＳ１０２及びＳ１０３により加盟店端末機１０の端末情報データを取得したならば、端末情報データベース３２２に新規レコードとして登録する。図３は、端末情報データベース３２２に登録されている端末情報データのテーブルを模式的に示している。情報項目として「設置用識別番号」、「回線種別」、「業務設定」、「通信設定」、「機器設定」、「設置カード会社識別番号」、「端末管理サーバ接続情報」、「カードセンターサーバ接続情報」、「端末機識別番号」等があり、それぞれに対し、必要に応じて初期データが格納されるかあるいは空データのままとされる。
【００５９】
本発明において重要な情報項目としては、上述の設置用識別番号３２２ａの他に、端末管理サーバ接続情報３２２ｇ及びカードセンターサーバ接続情報３２２ｈがある。これらは、加盟店端末機１０が端末管理サーバ３０及びカードセンターサーバ４０のそれぞれへダイヤルアップ接続するために必要なアクセスポイントの電話番号、接続確立のために必要な認証情報等を含む。
【００６０】
さらに、端末機識別番号３２２ｉは、従来から用いられている加盟店端末機１０に固有の識別番号である。
【００６１】
またさらに、設置処理完了フラグ３２３ｊは、本発明による加盟店端末機設置処理が未完か完了かを区別するためのものであり、初期値はオフである。加盟店端末機設置処理が完了するとオンとされる。
【００６２】
・ステップＳ１０５：端末管理サーバ３０は、新規の端末設置カード２０の記憶媒体２１にステップＳ１０３で決定した設置用識別番号３２２ａを書き込む。
【００６３】
・ステップＳ１０６：端末管理サーバ３０は、新規に登録した加盟店端末機１０の端末情報データをカードセンターサーバ４０へ送信する。カードセンターサーバ４０は、取得した端末情報データに基づいて、その端末機識別番号を各カード会社のＤＬＬデータと対応付けてＤＬＬデータベースに登録する。
【００６４】
・ステップＳ１０７：端末提供企業は、加盟店端末機１０と端末設置カード２０をセットにして加盟店へ発送する。
【００６５】
（1-5）加盟店端末機及び端末管理サーバにおける端末設置処理
図４は、図１の加盟店端末機１０及び端末管理サーバ３０における端末設置処理１１１、３１２の概略的フロー図である。以下、対話的に実行される双方の処理ステップを時系列に沿って説明する。
【００６６】
・ステップＳ２０１：加盟店端末機１０に電源を投入し、通信ラインを接続した後、端末設置カード２０に記憶された設置用識別番号をカードリーダ１３により読み取る。これにより、設置処理が自動的に開始される。
【００６７】
・ステップＳ２０２：通信可能な状態であるか、回線設定をチェックする。回線設定が設定済みであれば次ステップへ進む。未設定であれば回線種別（トーンであるかパルスであるか等）を判別し、その他必要な通信設定条件を判別した後、設定し、次ステップへ進む。
【００６８】
・ステップＳ２０３：加盟店端末機１０は、予め記憶されている初回接続データ１２１ａを用いて端末管理サーバ３０へダイヤルアップ接続する。この時点では、加盟店端末機１０は未だ端末情報データを保有していないため、図３に示したテーブルに含まれる「端末管理サーバ接続情報」を利用できない。従って、初回接続に用いられる電話番号や認証情報等を含む初回接続データ１２１ａは、予め記憶されている。
【００６９】
・ステップＳ３０１：端末管理サーバ３０は、加盟店端末機１０からの接続要求があると、認証処理を行い、加盟店端末機１０との接続を確立する。これにより加盟店端末機１０と端末管理サーバ３０は、相互データ伝送可能となる。
【００７０】
・ステップＳ２０４：加盟店端末機１０は、端末設置カード２０から読み取った設置用識別番号を送信する。
【００７１】
・ステップＳ３０２：端末管理サーバ３０は、加盟店端末機１０から送信された設置用識別番号を受信する。
【００７２】
・ステップＳ３０３：設置用識別番号を受信した端末管理サーバ３０は、設置用識別番号をキーとして端末情報データベース３２２を参照し、設置用識別番号に該当する端末情報データテーブルを検索する。該当するテーブルを見出したならばその端末情報データを抽出する。さらに、抽出した端末情報データを加盟店端末機１０へ送信する。
【００７３】
・ステップＳ２０５：加盟店端末機１０は、端末管理サーバ３０から送信された端末情報データを受信（ダウンロード）する。
【００７４】
・ステップＳ２０６：加盟店端末機１０は、受信した端末情報データを端末情報データファイル１２３として記憶手段に記憶する。これにより、加盟店端末機１０の稼働に必要な業務設定、環境設定等が行われたことになる。
【００７５】
・ステップＳ２０７、Ｓ３０４：加盟店端末機１０と端末管理サーバ３０は、互いの接続を切断する処理をそれぞれ行う。
【００７６】
・ステップＳ２０８：このステップは、加盟店端末機１０とカードセンターサーバ４０との間のセッションであるので、図５を参照して後述する。
【００７７】
・ステップＳ２０９：加盟店端末機１０は、端末管理サーバ３０への再接続を行う。この時点では既に端末情報データを取得しているため、端末情報データに含まれる端末管理サーバ接続情報を用いて接続を行うことができる。
【００７８】
・ステップＳ３０５：端末管理サーバ３０は、加盟店端末機１０との間の接続を確立する。
【００７９】
・ステップＳ２１０、Ｓ３０６：加盟店端末機１０から設置処理完了データが送信され、端末管理サーバ３０がこれを受信し、確認データを返信する。端末管理サーバ３０は、図３に示す端末情報データベース３２２の端末情報データテーブルの設置処理完了フラグをオンとする。
【００８０】
・ステップＳ２１１、Ｓ３０７：加盟店端末機１０と端末管理サーバ３０は、互いの接続を切断する処理をそれぞれ行い、処理を終了する。
【００８１】
（1-6）加盟店端末機及びカードセンターサーバにおける端末設置処理
図５は、図１の加盟店端末機１０及びカードセンターサーバ４０における端末設置処理１１１、４１１の概略的フロー図である。加盟店端末機１０における端末設置処理１１１のうち、図３のステップＳ２０８において行われる処理である。以下、双方の処理ステップを時系列に沿って説明する。
【００８２】
・ステップＳ２０８１：このステップは、図３のステップＳ２０７に続いて行われる。加盟店端末機１０は、カードセンターサーバ４０への初回接続を行う。この時点では、加盟店端末機１０は、端末情報データファイル１２３を有しているので、端末情報データに含まれるカードセンターサーバ接続情報を用いて接続することができる。
【００８３】
・ステップＳ４０１：カードセンターサーバ４０は、加盟店端末機１０からの接続要求があると、認証処理を行い、加盟店端末機１０との接続を確立する。これにより加盟店端末機１０とカードセンターサーバ４０は、相互データ伝送可能となる。
【００８４】
・ステップＳ２０８２：加盟店端末機１０は、カードセンターサーバ４０に対しＤＬＬデータのダウンロードを要求するＤＬＬ要求データを送信する。加盟店端末機１０は、処理対象のカードのカード会社のＤＬＬデータのみをダウンロードすればよい。従って、加盟店端末機１０は、いずれのカード会社のＤＬＬデータをダウンロードするかを判定するための端末機識別番号を、ＤＬＬ要求データと共に送信する。端末機識別番号は、前述の図３で示すように端末情報データに含まれている。
【００８５】
・ステップＳ４０２：カードセンターサーバ４０は、加盟店端末機１０から送信されたＤＬＬ要求データを端末機識別番号と共に受信する。
【００８６】
・ステップＳ４０３：ＤＬＬ要求データを受信したカードセンターサーバ４０は、端末機識別番号をキーとしてＤＬＬデータベース４２２を参照し、端末機識別番号に該当するカード会社を検索する。該当するカード会社を見出したならば、そのカード会社のＤＬＬデータを抽出する。さらに、抽出したＤＬＬデータを加盟店端末機１０へ送信する。
【００８７】
ここで、図６は、カードセンターサーバ４０の記憶手段に格納されたＤＬＬデータベース４２２の構成を模式的に示した図である。ＤＬＬデータベース４２２には、端末機識別番号４２２ａと、カード会社４２２ｃ及びそのカード会社のＤＬＬデータファイル４２２ｂとが対応付けて格納されている。例えば、図６の例では、カードセンターサーバ４０が端末機識別番号に基づいてＡ社、Ｂ社、Ｃ社及びＤ社のＤＬＬデータを抽出する
【００８８】
尚、一般的には、各カード会社のＤＬＬデータとして、設置会社用ＤＬＬデータと利用会社用ＤＬＬデータの２種が用意されている。加盟店端末機１０の設置費用を負担するカード会社（以下、「設置カード会社」と称する）のＤＬＬデータとしては、「設置会社用ＤＬＬデータ」を用いる。そして、それ以外のカード会社（以下、「利用カード会社」と称する）のＤＬＬデータとしては、「利用会社用ＤＬＬ」を用いる。これは、設置カード会社の費用負担に見合わせるために、設置カード会社については利用カード会社よりも有利な処理を行うようにするためである（例えば、加盟店端末機の印刷出力の際に設置カード会社の名称が印刷される、等）。カードセンターサーバ４０からダウンロードするＤＬＬデータの種類によってこのような異なった処理を行うことができる。
【００８９】
端末機識別番号は、前述の図２で説明したように、設置カード会社を判別することができる情報を含んでいる。従って、カードセンターサーバ４０は、端末機識別番号の中の所定の桁のデータに基づいて、いずれのカード会社が設置カード会社であるかを判別する。図６の例では、Ａ社を設置カード会社であると判別しており、Ａ社については設置会社用ＤＬＬデータ４２２ｂ１を抽出し、他のＢ社、Ｃ社及びＤ社については利用会社用ＤＬＬデータ４２２ｂ２〜４２２ｂ３を抽出する。
【００９０】
・ステップＳ２０８３：加盟店端末機１０は、カードセンターサーバ４０から送信されたＤＬＬデータを受信（ダウンロード）する。
【００９１】
・ステップＳ２０８４：加盟店端末機１０は、受信したＤＬＬデータを、各カード会社ＤＬＬデータファイル１２４として記憶手段に記憶する。これにより、種々のカード会社のカード利用処理の準備が整ったことになる。
【００９２】
・ステップＳ２０８５、Ｓ４０４：加盟店端末機１０とカードセンターサーバ４０は、互いの接続を切断する処理をそれぞれ行う。加盟店端末機１０は、図３のステップＳ２０９の処理へと進み、カードセンターサーバ４０は処理を終了する。
【００９３】
（２）第２の実施形態（請求項６〜８、請求項１５、１６）
図７は、本発明による加盟店端末機設置処理システムの第２の実施形態の概略的な構成図である。前述の第１の実施形態と共通する構成要素については同じ符号を用いている。本システムの主要な構成要素であるコンピュータは、加盟店に設置される新規の加盟店端末機１０及びカードセンター統合サーバ５０である。カードセンター統合サーバ５０は、第１の実施形態における端末管理サーバ３０の機能をカードセンターサーバ４０に組み込み統合した形態のコンピュータである。カードセンター統合サーバ５０は、加盟店端末機１０と各カード会社サーバ６０との間に介在して通常のカード利用に係るデータ伝送処理(与信処理や売上情報処理)を実行すると共に、加盟店端末機１０の設置処理を実行することができる。
【００９４】
本システムの前提となる業務フローの概要は、前述の第１の実施形態とほぼ同様である。異なる点は、加盟店端末機１０が端末設置カード２０をカードリーダ１３に適用して設置用識別番号を読み取った後に起動する設置処理フローにおいて、加盟店端末機１０が、端末情報データ及びＤＬＬデータの双方をカードセンター統合サーバ５０からダウンロードする点である。
【００９５】
本システムにおける加盟店端末機１０の構成は、前述の第１の実施形態と同様であるので、カードセンター統合サーバ５０の構成について説明する。
【００９６】
（2-1）カードセンター統合サーバの構成
カードセンター統合サーバ５０は、ＣＰＵとメモリを含む制御手段５１と、磁気ディスク装置等の記憶手段５２とを具備する。記憶手段５２には、ＡＰＬファイルやデータベースファイルが実行可能若しくは利用可能な状態で格納すなわち導入されている。制御手段５１にてメモリに適宜のＡＰＬを読み込み、ＣＰＵが演算処理並びに周辺装置及びデータベースファイルの制御を実行することにより種々の業務処理機能が実現される。
【００９７】
カードセンター統合サーバ５０の個々の処理機能は、前述の端末管理サーバ３０又はカードセンターサーバ４０の個々の機能と同じである。
【００９８】
カードセンター統合サーバ５０の記憶手段５２に導入されている端末情報登録処理ＡＰＬ５２１は、前述の端末管理サーバ３０の端末情報登録処理ＡＰＬ３２１と同じであり、端末情報登録処理機能５１１を実現する。端末情報登録処理機能５１１の処理フローは、図２に示した端末管理サーバ３０による処理フローと同じである。すなわち、新規申込みされた加盟店端末機１０の端末情報データを端末情報データベース５２２に登録し、固有の設置用識別番号及び端末機識別番号を決定し、端末設置カード２０に設置用識別番号を書き込む処理を行う。
【００９９】
また、端末情報データベース５２２は、前述の端末管理サーバ３０の端末情報データベース３２２と同じである。すなわち、加盟店端末機１０の端末情報データが、設置用識別番号と対応付けられて格納されている。
【０１００】
さらに、端末設置処理ＡＰＬ５２３は、前述の端末管理サーバ３０の端末設置処理ＡＰＬ３２１とカードセンターサーバ４０の端末設置処理ＡＰＬ４２１とを統合したものであり、端末設置処理機能５１２を実現する。すなわち、加盟店端末機１０との接続を確立し、受信した設置用識別番号に基づいて端末情報データベース５２２から端末情報データを抽出して加盟店端末機１０へ送信する。さらに、加盟店端末機１０から受信したＤＬＬ要求データ及び端末機識別番号に基づいてＤＬＬデータベース５２４からＤＬＬデータを抽出して加盟店端末機１０へ送信する処理を行う。
【０１０１】
またさらに、ＤＬＬデータベース５２４は、前述のカードセンターサーバ４０のＤＬＬデータベース４２２と同じである。すなわち、各カード会社のＤＬＬデータが、端末機識別番号と対応付けられて格納されている。またさらに、カード利用処理ＡＰＬ５２５は、前述のカードセンターサーバ４０のカード利用処理ＡＰＬ４２３と同じである。
【０１０２】
（2-2）加盟店端末機及びカードセンター統合サーバにおける端末設置処理
図８は、図７の加盟店端末機１０及びカードセンター統合サーバ５０における端末設置処理１１１、５１２の概略的フロー図である。以下、双方の処理ステップを時系列に沿って説明する。
【０１０３】
・ステップＳ５０１：加盟店端末機１０に電源を投入し、通信ラインを接続した後、端末設置カード２０に記憶された設置用識別番号をカードリーダ１３により読み取る。これにより、設置処理が自動的に開始される。尚、回線設定処理については、前述と同様であるので省略する。
【０１０４】
・ステップＳ５０２：加盟店端末機１０は、予め記憶されている初回接続データ１２１ａを用いてカードセンター統合サーバ５０へダイヤルアップ接続する。初回接続に用いられる電話番号や認証情報等を含む初回接続データ１２１ａは、予め記憶されている。
【０１０５】
・ステップＳ６０１：カードセンター統合サーバ５０は、加盟店端末機１０からの接続要求があると、認証処理を行い、加盟店端末機１０との接続を確立する。これにより加盟店端末機１０とカードセンター統合サーバ５０は、相互データ伝送可能となる。
【０１０６】
・ステップＳ５０３：加盟店端末機１０は、端末設置カード２０から読み取った設置用識別番号を送信する。
【０１０７】
・ステップＳ６０２：カードセンター統合サーバ５０は、加盟店端末機１０から送信された設置用識別番号を受信する。
【０１０８】
・ステップＳ６０３：設置用識別番号を受信したカードセンター統合サーバ５０は、設置用識別番号をキーとして端末情報データベース５２２を参照し、設置用識別番号に該当する端末情報データテーブルを検索する。該当するテーブルを見出したならばその端末情報データを抽出する。さらに、抽出した端末情報データを加盟店端末機１０へ送信する。
【０１０９】
・ステップＳ５０４：加盟店端末機１０は、カードセンター統合サーバ５０から送信された端末情報データを受信（ダウンロード）する。さらに加盟店端末機１０は、受信した端末情報データを端末情報データファイル１２３として記憶手段に記憶する。これにより、加盟店端末機１０の稼働に必要な業務設定、環境設定等が行われたことになる。
【０１１０】
・ステップＳ５０５：加盟店端末機１０は、カードセンター統合サーバ５０に対しＤＬＬデータのダウンロードを要求するＤＬＬ要求データを送信する。加盟店端末機１０は、処理対象のカードのカード会社のＤＬＬデータのみをダウンロードすればよい。従って、加盟店端末機１０は、いずれのカード会社のＤＬＬデータをダウンロードするかを判定するための端末機識別番号を、ＤＬＬ要求データと共に送信する。端末機識別番号は、端末情報データに含まれている。
【０１１１】
・ステップＳ６０４：カードセンター統合サーバ５０は、加盟店端末機１０から送信されたＤＬＬ要求データを端末機識別番号と共に受信する。
【０１１２】
・ステップＳ６０５：ＤＬＬ要求データを受信したカードセンター統合サーバ５０は、端末機識別番号をキーとしてＤＬＬデータベース５２４を参照し、端末機識別番号に該当するカード会社を検索する。該当するカード会社を見出したならばそのカード会社のＤＬＬデータを抽出する。尚、この場合も、設置カード会社については設置会社用ＤＬＬデータを、利用カード会社については利用会社用ＤＬＬデータを抽出することができる。さらに、抽出したＤＬＬデータを加盟店端末機１０へ送信する。
【０１１３】
・ステップＳ５０６：加盟店端末機１０は、カードセンター統合サーバ５０から送信されたＤＬＬデータを受信（ダウンロード）する。さらに加盟店端末機１０は、受信したＤＬＬデータを、各カード会社ＤＬＬデータファイル１２４として記憶手段に記憶する。これにより、種々のカード会社のカード利用を処理する準備が整ったことになる。
【０１１４】
・ステップＳ５０７、Ｓ６０６：加盟店端末機１０とカードセンター統合サーバ５０は互いに、設置処理完了データの送信と、確認データの返信を行う。
【０１１５】
・ステップＳ５０８、Ｓ６０７：加盟店端末機１０とカードセンター統合サーバ５０は、互いの接続を切断する処理をそれぞれ行い、処理を終了する。
【０１１６】
（３）第３の実施形態（請求項９〜１１、請求項１７、１８）
図９は、本発明による加盟店端末機設置処理システムの第３の実施形態における端末設置処理の概略的フロー図である。第３の実施形態のシステム構成は、図７に示した第２の実施形態と同じである。異なる点は、カードセンター統合サーバ５０の記憶手段５２に記憶された端末設置処理ＡＰＬ５２３により実現される端末設置処理機能５１２の一部のみである。
【０１１７】
（3-1）加盟店端末機及びカードセンター統合サーバにおける端末設置処理
図９は、図７の加盟店端末機１０及びカードセンター統合サーバ５０における端末設置処理１１１、５１２の第３の実施形態による概略的フロー図である。以下、双方の処理ステップを時系列に沿って説明する。
【０１１８】
・ステップＳ７０１：加盟店端末機１０に電源を投入し、通信ラインを接続した後、端末設置カード２０に記憶された設置用識別番号をカードリーダ１３により読み取る。これにより、設置処理が自動的に開始される。尚、回線設定処理については、前述と同様であるので省略する。
【０１１９】
・ステップＳ７０２：加盟店端末機１０は、予め記憶されている初回接続データ１２１ａを用いてカードセンター統合サーバ５０へダイヤルアップ接続する。初回接続に用いられる電話番号や認証情報等を含む初回接続データ１２１ａは、予め記憶されている。
【０１２０】
・ステップＳ８０１：カードセンター統合サーバ５０は、加盟店端末機１０からの接続要求があると、認証処理を行い、加盟店端末機１０との接続を確立する。これにより加盟店端末機１０とカードセンター統合サーバ５０は、相互データ伝送可能となる。
【０１２１】
・ステップＳ７０３：加盟店端末機１０は、端末設置カードから読み取った設置用識別番号を送信する。
【０１２２】
・ステップＳ８０２：カードセンター統合サーバ５０は、加盟店端末機１０から送信された設置用識別番号を受信する。
【０１２３】
・ステップＳ８０３：設置用識別番号を受信したカードセンター統合サーバ５０は、設置用識別番号をキーとして端末情報データベース５２２を参照し、設置用識別番号に該当する端末情報データテーブルを検索する。該当するテーブルを見出したならばその端末情報データを抽出する。抽出した端末情報データは一時的に保存しておき、この時点では加盟店端末機１０へ送信しない。この点が、第２の実施形態と異なる。
【０１２４】
・ステップＳ８０４：続いて、カードセンター統合サーバ５０は、抽出した端末情報データに含まれる端末機識別番号をキーとしてＤＬＬデータベース５２４を参照し、端末機識別番号に該当するカード会社を検索する。該当するカード会社を見出したならばそのカード会社のＤＬＬデータを抽出する。尚、この場合も、端末機識別番号に基づいて、設置カード会社については設置会社用ＤＬＬデータを、利用カード会社については利用会社用ＤＬＬデータを抽出することができる。
【０１２５】
・ステップＳ８０５：カードセンター統合サーバ５０は、ステップＳ８０３で抽出した端末情報データ及びステップＳ８０４で抽出したＤＬＬデータを加盟店端末機１０に送信する。端末情報データとＤＬＬデータを一括して加盟店端末機１０へ送信する点についても、第２の実施形態と異なる。
【０１２６】
・ステップＳ７０４：加盟店端末機１０は、カードセンター統合サーバ５０から送信された端末情報データ及びＤＬＬデータを受信（ダウンロード）する。加盟店端末機１０は、受信した端末情報データを端末情報データファイル１２３として、受信したＤＬＬデータを各カード会社ＤＬＬデータファイル１２４として、記憶手段に記憶する。これにより、加盟店端末機１０の稼働に必要な業務設定、環境設定等が行われ、また、種々のカード会社のカード利用を処理する準備が整ったことになる。
【０１２７】
・ステップＳ７０５、Ｓ８０６：加盟店端末機１０から設置処理完了データが送信され、カードセンター統合サーバ５０がこれを受信し、確認データを返信する。端末管理サーバ３０は、端末情報データベース５２２の端末情報データテーブル（図３に示すものと同様）の設置処理完了フラグをオンとする。
【０１２８】
・ステップＳ７０６、Ｓ８０７：加盟店端末機１０とカードセンター統合サーバ５０は、互いの接続を切断する処理をそれぞれ行い、処理を終了する。
【図面の簡単な説明】
【０１２９】
【図１】本発明による加盟店端末機設置処理システムの第１の実施形態の概略的な構成図である。
【図２】図１の端末管理サーバ３０における端末情報登録処理３１１の概略的フローである。
【図３】端末情報データベース３２２に登録されている端末情報データのテーブルを模式的に示した図である。
【図４】図１の加盟店端末機１０及び端末管理サーバ３０における端末設置処理１１１、３１２の概略的フロー図である。
【図５】図１の加盟店端末機１０及びカードセンターサーバ４０における端末設置処理１１１、４１１の概略的フロー図である。
【図６】カードセンターサーバ４０の記憶手段に格納されたＤＬＬデータベース４２２の構成を模式的に示した図である。
【図７】本発明による加盟店端末機設置処理システムの第２の実施形態の概略的な構成図である。
【図８】図７の加盟店端末機１０及びカードセンター統合サーバ５０における端末設置処理１１１、５１２の概略的フロー図である。
【図９】図７の加盟店端末機１０及びカードセンター統合サーバ５０における端末設置処理１１１、５１２の第３の実施形態による概略的フロー図である。
【図１０】従来の加盟店端末機の設置処理を行う業務フローを概略的に示す図である。
【符号の説明】
【０１３０】
１０  加盟店端末機
１１  (加盟店端末機)制御手段
１１１  端末設置処理機能
１１２  カード利用処理機能
１２  (加盟店端末機)記憶手段
１２１  端末設置処理ＡＰＬファイル
１２１ａ  初回接続データ
１２２  カード利用処理ＡＰＬファイル
１２３  端末情報データファイル
１２４  各カード会社用ＤＬＬファイル
１３  カードリーダ
１４  (加盟店端末機)表示手段
１５  (加盟店端末機)通信手段
１６  (加盟店端末機)入力手段
２０  端末設置カード
２１  磁気記憶媒体
３０  端末管理サーバ
３１  (端末管理サーバ)制御手段
３１１  端末情報登録処理機能
３１２  端末設置処理機能
３２  (端末管理サーバ)記憶手段
３２１  端末情報登録処理ＡＰＬファイル
３２２  端末情報データベース
３２３  端末設置処理ＡＰＬファイル
３３  (端末管理サーバ)通信手段
３４  カードライタ
３５  (端末管理サーバ)表示手段
３６  (端末管理サーバ)入力手段
４０  カードセンターサーバ
４１  (カードセンターサーバ)制御手段
４１１  端末設置処理機能
４１２  カード利用処理機能
４２  (カードセンターサーバ)記憶手段
４２１  端末設置処理ＡＰＬファイル
４２２  ＤＬＬファイルデータベース
４２３  カード利用処理ＡＰＬファイル
４３  (カードセンターサーバ)通信手段
５０  カードセンター統合サーバ
５１  (カードセンター統合サーバ)制御手段
５１１  端末情報登録処理機能
５１２  端末設置処理機能
５１３  カード利用処理機能
５２  (カードセンター統合サーバ)記憶手段
５２１  端末情報登録処理ＡＰＬファイル
５２２  端末情報データベース
５２３  端末設置処理ＡＰＬファイル
５２４  ＤＬＬファイルデータベース
５２５  カード利用処理ＡＰＬファイル
５３  (カードセンター統合サーバ)通信手段
５４  カードライタ
５５  (カードセンター統合サーバ)表示手段
５６  (カードセンター統合サーバ)入力手段
６０  各カード会社サーバ
７０、８０  通信ネットワーク
【図１】
2005267270.tif 000003
【図２】
2005267270.tif 000004
【図３】
2005267270.tif 000005
【図４】
2005267270.tif 000006
【図５】
2005267270.tif 000007
【図６】
2005267270.tif 000008
【図７】
2005267270.tif 000009
【図８】
2005267270.tif 000010
【図９】
2005267270.tif 000011
【図１０】
2005267270.tif 000012